(57)【要約】【課題】インスツルメントの格納部への格納を容易にし、かつインスツルメントを格納部から取り出す際、インスツルメントに接続されたチューブも格納部から離脱させて移動範囲を拡大し、使い易いインスツルメントホルダーとそれを備えた歯科治療用装置の提供。【解決手段】歯科用インスツルメントホルダーが、その基盤前端縁部から後方に向けて切り込まれたスリットと、スリットの後端部に貫設された円孔とで形成されたインスツルメント格納部を複数個並設されてなり、スリットの幅は格納するインスツルメントの直径以下でインスツルメントに接続されたチューブの直径以上であり、スリットの先端部は幅広に拡開され、その上面と壁面とがなだらかに下降する曲面で連結され、円孔は上部が拡がったラッパ形状体の壁面で形成され、円孔の下端部近傍の径が格納されるインスツルメントの径より小さく形成されたインスツルメントホルダーとそれを備えた歯科治療用装置。【選択図】図１
2015217123.tif 000002
【特許請求の範囲】
【請求項１】
歯科治療用装置に備えられる歯科用インスツルメントホルダーであって、
前記インスツルメントホルダーには、ホルダーの基盤前端縁部から後方に向けて切り込まれたスリットと、前記スリットの後端部に貫設された円孔とで形成されたインスツルメント格納部が複数個並設されてなり、
前記スリットの幅は、格納するインスツルメントの直径以下で、かつインスツルメント後端に接続されたインスツルメントチューブの直径以上であり、また前記スリットの先端部は幅広に拡開され、その上面と壁面とがなだらかに下降する曲面を介して連結され、
そして前記円孔は上部が拡がったラッパ形状体の壁面で形成され、前記円孔の下端部近傍の径が前記円孔に挿入されるインスツルメントの径より小さく形成されてなることを特徴とする歯科用インスツルメントホルダー。
【請求項２】
前記上部が拡がったラッパ形状体の壁面で形成される円孔は、前記スリットの後端部に前方上部から後方下部に向けて斜めに貫設されてなるものであることを特徴とする請求項１に記載の歯科用インスツルメントホルダー。
【請求項３】
前記上部が拡がったラッパ形状体の壁面で形成される円孔は、その開口部の上方壁面が垂直状に、下方壁面が前方斜めに位置するように配置されてなり、前記下方壁面の変曲部が、前記垂直状に配置された上方壁面より前方に位置するようにしてなることを特徴とする請求項１又は２に記載の歯科用インスツルメントホルダー。
【請求項４】
前記スリット幅、及び円孔の寸法と傾斜角度は、歯科治療用装置に装備される複数種のインスツルメントに対応してそれぞれ個別に設定されてなるものであることを特徴とする請求項１〜３のいずれか１項に記載の歯科用インスツルメントホルダー。
【請求項５】
請求項１〜４のいずれか１項に記載の歯科用インスツルメントホルダーを備えた歯科治療用装置。
【発明の詳細な説明】
【技術分野】
【０００１】
歯科用インスツルメントホルダー、及び同インスツルメントホルダーを備えた歯科治療用装置に関する。
【背景技術】
【０００２】
歯科治療用装置に備えられるインスツルメントホルダーとしては、例えば、
特許文献１には「複数本にインスツルメントを水平方向に配設してなるインスツルメントホルダー」とする横置き型インスツルメントホルダーが開示され、
特許文献２には「歯科治療用ハンドピースを懸架するハンドピース懸架孔を有しかつ該懸架孔の前部に前記ハンドピースに連結されたインスツルメントホースが通過する切り欠き部を有する縦置き型インスツルメントホルダー」が開示されている。
また、特許文献３には「横置き式インスツルメントホルダーと、該横置きインスツルメントホルダーの前部下方に設けられた縦置き式インスツルメントホルダーとから成り、該縦置き式インスツルメントホルダーはインスツルメントのヘッド部を下方にして懸架可能」とする横置き式と縦置き式のインスツルメントホルダーを併設したものも開示されている。
そして、特許文献４には「………インスツルメント保持装置として、従来、上面と背面を有するホルダーに、水平方向に対してやや斜めに形成した貫通孔部またはほぼ鉛直方向に形成した貫通孔部を形成し、この貫通孔部にインスツルメントを挿入して保持するようにしたものが提案されている」と貫通孔部を備えたインスツルメントホルダーが示されている。
【先行技術文献】
【特許文献】
【０００３】
【特許文献１】特開２０１１−１６０８６１号公報
【特許文献２】特開２００７−１５９７７３号公報
【特許文献３】特開２００７−２７５３８３号公報
【特許文献４】特許第３７８４５７１号公報
【発明の概要】
【発明が解決しようとする課題】
【０００４】
上記横置き式のインスツルメントホルダーにおいては、使用したインスツルメントは所定の位置に他のインスツルメントと平行状態に整列させて戻さねばならず、縦置き式のインスツルメントホルダーでは該ホルダーの前面に設けられた切り欠き部にインスツルメントホースを通過させながらインスツルメントを垂直に差し入れなければならないといった使用後のインスツルメント格納に注意を払わなければならないといった問題があった。
また上面と背面を有するホルダーに貫通孔部を形成したインスツルメントホルダーにおいては、インスツルメントチューブの案内によってインスツルメントを確実に所定の格納部に格納できるという利点はあるものの、インスツルメントに接続されたチューブが貫通孔によってその移動範囲が制限されるため、治療位置が変わる度ごとに該インスツルメントホルダーを備えたテーブル自体の位置や向きを調節しなければならないという作業操作上の不便があった。
本発明は上記従来のインスツルメントホルダーが抱える問題点に鑑みてなされたもので、使用されたインスツルメントの格納部への格納を容易にするとともに、インスツルメントを格納部から取り出したとき、該インスツルメントに接続されたインスツルメントチューブもインスツルメントに追従して格納部から離脱するようにしてその移動範囲を拡大させ治療位置が変わる度ごとに必要とされてきたテーブルの位置や向きの調節の機会を削減させられるインスツルメントホルダーおよび同ホルダーを備えた歯科治療用装置の提供を課題としたものである。
【課題を解決するための手段】
【０００５】
本発明者等は鋭意実験研究の結果上記課題を下記の手段により解決した。
（１）歯科治療用装置に備えられる歯科用インスツルメントホルダーであって、
前記インスツルメントホルダーには、ホルダーの基盤前端縁部から後方に向けて切り込まれたスリットと、前記スリットの後端部に貫設された円孔とで形成されたインスツルメント格納部が複数個並設されてなり、
前記スリットの幅は、格納するインスツルメントの直径以下で、かつインスツルメント後端に接続されたインスツルメントチューブの直径以上であり、また前記スリットの先端部は幅広に拡開され、その上面と壁面とがなだらかに下降する曲面を介して連結され、
そして前記円孔は上部が拡がったラッパ形状体の壁面で形成され、前記円孔の下端部近傍の径が前記円孔に挿入されるインスツルメントの径より小さく形成されてなることを特徴とする歯科用インスツルメントホルダー。
（２）前記上部が拡がったラッパ形状体の壁面で形成される円孔は、前記スリットの後端部に前方上部から後方下部に向けて斜めに貫設されてなるものであることを特徴とする（１）に記載の歯科用インスツルメントホルダー。
（３）前記上部が拡がったラッパ形状体の壁面で形成される円孔は、その開口部の上方壁面が垂直状に、下方壁面が前方斜めに位置するように配置されてなり、前記下方壁面の変曲部が、前記垂直状に配置された上方壁面より前方に位置するようにしてなることを特徴とする（１）又は（２）に記載の歯科用インスツルメントホルダー。
（４）前記スリット幅、及び円孔の寸法と傾斜角度は、歯科治療用装置に装備される複数種のインスツルメントに対応してそれぞれ個別に設定されてなるものであることを特徴とする（１）〜（３）のいずれか１項に記載の歯科用インスツルメントホルダー。
（５）前記（１）〜（４）のいずれか１項に記載の歯科用インスツルメントホルダーを備えた歯科治療用装置。
【発明の効果】
【０００６】
本発明の歯科用インスツルメントホルダーによって下記の効果が発揮される。
〈１〉本発明の歯科用インスツルメントホルダーには、ホルダーの基盤前端縁部から後方に向けて切り込まれたスリットと、前記スリットの後端部に貫設された円孔とで形成されたインスツルメント格納部が複数個並設されてなり、
前記スリットの幅は、格納するインスツルメントの直径以下で、かつインスツルメント後端に接続されたインスツルメントチューブの直径以上であるので、前記インスツルメントはスリットから抜け落ちることなく保持され、そして前記円孔は上部が拡がったラッパ形状体の壁面で形成され、前記円孔の下端部近傍の径が前記円孔に挿入されるインスツルメントの径より小さく形成されているので、
前記インスツルメントを円孔上方の口径の広い部分にどのような角度で挿入してもインスツルメント後端部に接続されたチューブの自重によってラッパ形状体の側面に沿って径が小さくなる方に引き込まれ、インスツルメントの径より小さく形成された円孔の下端部近傍で静止し、安定に格納される。したがって、施術者が施術中にインスツルメント交換を行う際、使用したインスツルメントの格納に特段の注意を払う必要がなく、該インスツルメントを所定位置に確実に格納でき、施術に集中できる。
さらに、前記スリットの先端部は幅広に拡開され、その上面と壁面とがなだらかに下降する曲面を介して連結されているので、インスツルメントを前記インスツルメントホルダーの円孔上方の口径の広い部分に挿入すれば、該インスツルメントの後端部に接続されたインスツルメントチューブも拡開されたスリットの先端からスムーズに円孔内に導入されることとなり、インスツルメントの格納部への格納が格段に容易となり、使い勝手のよいインスツルメントホルダーと同ホルダーを備えた使用勝手のよい歯科治療用装置が提供でき、施術者の負担を減らし作業効率の向上が図れる。
またインスツルメントをホルダーから取り出すと、該インスツルメントに接続されたインスツルメントチューブも該インスツルメントに追従して格納部から離脱するので、インスツルメントの移動範囲の拡大が図れ、これによって治療部位が変化してもテーブルの位置や向きの調節機会を減少させることもできる。
【０００７】
〈２〉前記上部が拡がったラッパ形状体の壁面で形成される円孔は、前記スリットの後端部に前方上部から後方下部に向けて斜めに貫設されているので、
インスツルメントホルダーに挿入されたインスツルメントは、その先端部を常にインスツルメントホルダーの前方上部に向けて格納され、歯科医等の施術者にとってインスツルメントの取り扱い易いインスツルメントホルダー、ひいては取り扱いやすい歯科治療用装置が提供できる。
〈３〉前記上部が拡がったラッパ形状体の壁面で形成される円孔は、その開口部の上方壁面が垂直状に、下方壁面を前方斜めに位置するように配置されてなり、前記下方壁面の変曲部が、前記垂直状に配置された上方壁面より前方に位置するようにしてなるので、
インスツルメントを垂直に格納しても、該インスツルメントの自重によりインスツルメントはインスツルメントホルダーの円孔のインスツルメント保持部まで入り込み所定の角度で安定した状態で格納、保持される。
〈４〉前記スリットの幅、及び円孔の寸法と傾斜角度は、歯科治療用装置に装備される複数種のインスツルメントに対応してそれぞれ個別に設定されているので、
上記〈２〉及び〈３〉の効果がより高められるとともに、インスツルメントのインスツルメントホルダーへの誤挿入も抑止でき、歯科医等の施術者にとってインスツルメントの取り扱い易いインスツルメントホルダー、ひいては取り扱いやすい歯科治療用装置が提供できる。
【０００８】
〈５〉前記〈１〉〜〈４〉の効果を有する歯科用インスツルメントホルダーを備えた歯科治療用装置なので、
歯科医等の施術者にとってインスツルメントが取り扱い易い歯科治療用装置が提供できる。
【図面の簡単な説明】
【０００９】
【図１】本発明のインスツルメントホルダーの斜視図
【図２】インスツルメントホルダーの正面図（ａ）とインスツルメント格納部の一部断面図（ｂ）
【図３】本発明のインスツルメントホルダーへのインスツルメント格納状況の説明図
【図４】本発明のインスツルメントホルダーを備えた歯科治療用装置作業テーブルの斜視図
【図５】本発明のインスツルメントホルダーを備えた歯科治療用装置の全形斜視図
【発明を実施するための形態】
【００１０】
本発明のインスツルメントホルダー及び同インスツルメントホルダーを備えた歯科治療用装置を実施するための形態を、実施例の図に基づいて説明する。
図１は本発明のインスツルメントホルダーの斜視図、図２はインスツルメントホルダーの正面図（ａ）とインスツルメント格納部の一部断面図（ｂ）、図３は本発明のインスツルメントホルダーへのインスツルメント格納状況の説明図、図４は本発明のインスツルメントホルダーを備えた歯科治療用装置のテーブル斜視図、図５は本発明のインスツルメントホルダーを備えた歯科治療用装置の斜視図である。
図において、１はインスツルメントホルダ−、１ａはホルダー基盤前端縁部、１ｂはテーブルへの取付部、２はスリット、３は円孔、３ａは開口部、３ｂはインスツルメント保持部、３ｃは変曲部、３ｄは垂直状に配置された上方壁面、１０は歯科治療用装置、１１はテーブル、１２はインスツルメント、１３はインスツルメントチューブ、Ｗ１はスリット幅、Ｗ２は円孔開口部の口径、Ｗ３はインスツルメント保持部の口径を示す。
【００１１】
本発明のインスツルメントホルダー１は、図１の斜視図及び図２（ａ）の正面図に示すようにホルダー１の基盤前端縁部１ａから後方に向けて切り込まれたスリット２と、前記スリット２の後端部に貫設された円孔３とで形成されたインスツルメント格納部が複数個並設されて形成されている。
そして前記スリット２の幅Ｗ１は、格納するインスツルメント１２の直径以下で、かつインスツルメント１２後端に接続されたインスツルメントチューブ１３の直径以上であり、また前記スリット２の先端部は幅広に拡開され、その上面と壁面とがなだらかに下降する曲面を介して連結されている。
また前記円孔３は、図２（ｂ）のインスツルメント格納部の一部断面図に示すように上部開口部３ａの口径Ｗ２が下端部近傍のインスツルメント保持部３ｂの口径Ｗ３より大きく拡がったラッパ形状体の壁面で形成され、前記円孔３の下端部近傍のインスツルメント保持部３ｂの口径Ｗ３が前記円孔３に挿入されるインスツルメント１２の径より小さく形成されている。
したがって、図３（ａ）に示すようにインスツルメント１２をインスツルメントホルダー１に格納しようとしてラッパ形状体の円孔３の開口部３ａに近づけると、インスツルメント１２に接続されたインスツルメントチューブ１３が拡開されたスリット２の先端からスリット２内に挿入され、インスツルメント１２が円孔３に深く差し込まれるに従って、図３（ｂ）に示すように、インスツルメントチューブ１３も円孔３内に導かれる。
そして、歯科医等の施術者がインスツルメント１２から手を離すとインスツルメントチューブ１３の自重によって引かれ、円孔３の下方へ移動して図３（ｃ）に示すように、円孔３下端部近傍の該インスツルメント１２の外径より小さく形成されたインスツルメント保持部３ｂで静止し、安定に保持され格納される。
【００１２】
また、本願発明は、前記上部が拡がったラッパ形状体の壁面で形成される円孔３は、その開口部３ａの上方壁面が垂直状に、下方壁面が前方斜めに位置するように配置されてなり、前記下方壁面の変曲部３ｃが、前記垂直状に配置された上方壁面３ｄより前方に位置するように配置される。
これにより、施術者が垂直から円孔下部に向けて斜めに貫設されたその傾斜角度までのどのような角度でインスツルメント１２をインスツルメントホルダー１に挿入しても、該インスツルメント１２はインスツルメントチューブ１３の自重によって、定位置に確実に格納される。
前記のスリット２の幅Ｗ１、及び円孔３の形状寸法Ｗ２、Ｗ３等と傾斜角度は、歯科治療用装置に装備される複数種のインスツルメントに対応してそれぞれ個別に設定されており、各インスツルメント１２がそれぞれ取り出しやすい姿勢で格納されるので、歯科医等の施術者にとって使いやすいインスツルメントホルダーとなっている。
【００１３】
図４は本発明のインスツルメントホルダー１を備えたテーブル１１の斜視図であり、テーブル１１の前面に傾斜して設けられた操作パネルの下方に該インスツルメントホルダー１がそのテーブルへの取付部１ｂによって装着されていることを示している。
また、図５は本発明のインスツルメントホルダーを備えたテーブル１１を有する歯科治療用装置１０の主要部の斜視図である。
この歯科治療用装置１０においては、インスツルメント１２をインスツルメントホルダー１から取り出すと、該インスツルメント１２に接続されたインスツルメントチューブ１３も該インスツルメント１２に追従してインスツルメント格納部から離脱するので、インスツルメント１２の移動範囲が拡大されており、治療部位が変化してもテーブル１１の位置や向きの調節が必要となる機会が減少するなど、前述した各種効果を備えた使い勝手のよい歯科治療用装置となっている。
【符号の説明】
【００１４】
１：インスツルメントホルダ−
１ａ：ホルダー基盤前端縁部
１ｂ：テーブルへの取付部
２：スリット
３：円孔
３ａ：開口部
３ｂ：インスツルメント保持部
３ｃ：変曲部
３ｄ：垂直状に配置された上方壁面
１０：歯科治療用装置
１１：テーブル
１２：インスツルメント
１３：インスツルメントチューブ
Ｗ１：スリット幅
Ｗ２：円孔開口部の口径
Ｗ３：インスツルメント保持部の口径
【図１】
2015217123.tif 000003
【図２】
2015217123.tif 000004
【図３】
2015217123.tif 000005
【図４】
2015217123.tif 000006
【図５】
2015217123.tif 000007